(57)【要約】【課題】端末装置本体とコードレス送受信装置との組み合わせを容易に識別できる通信システムおよび通信端末装置を提供する。【解決手段】端末装置本体３の表示装置３５、およびコードレス受話器４の表示装置４６は、透過型または半透過型液晶表示装置で実現され、それぞれ多色バックライト３６，４７を光源として備える。多色バックライト３６、および多色バックライト４７は、光源としてそれぞれ５色（青・赤・黄・紫ａ・紫ｂ）のＬＥＤ（発光ダイオード）を有し、無線接続する端末装置本体３の表示装置３５とコードレス受話器４の表示装置４６とは、同じ色のＬＥＤが発光するように無線制御装置３３、および無線制御装置４２が制御する。さらに、ホームネットワーク回線２を介して互いに通信可能な電話端末装置１０同士では異なる色でＬＥＤが発光するように制御する。【選択図】      図３
2004320152.tif 000002
【特許請求の範囲】
【請求項１】
通信回線に接続する複数の通信端末装置と、通信端末装置の接続を制御する端末制御装置とを有する通信システムにおいて、
前記通信端末装置は、前記通信回線に接続する端末装置本体と、前記端末装置本体と無線で接続する送受信装置とからなり、
前記端末装置本体は、発光色が異なる複数の光源を備える第１発光部を備え、
前記送受信装置は、前記第１発光部と同じ発光色の光源を備える第２発光部を備え、
前記第１発光部は、前記通信回線に接続している他の通信端末装置が備える他の第１発光部および第２発光部の発光色とは異なる発光色で発光し、
前記第１発光部を備える端末装置本体と無線接続する送受信装置が備える前記第２発光部は、前記第１発光部と同じ発光色で発光することを特徴とする通信システム。
【請求項２】
前記端末装置本体は、前記通信回線に接続している通信端末装置の第１発光部および第２発光部の発光色と、通信端末装置を識別するための識別情報とを関連付けた装置別発光色テーブルを記憶する記憶部と、
前記装置別発光色テーブルに基づいて、前記第１発光部の発光色を決定して発光させ、決定した発光色を前記送受信装置に通知する第１制御部とを備え、
前記送受信装置は、前記第１制御部から通知された発光色で前記第２発光部を発光させる第２制御部を備えることを特徴とする請求項１記載の通信システム。
【請求項３】
前記第１制御部は、前記通信回線接続時に第１発光部の発光色を選択し、選択した発光色をすでに前記通信回線に接続されている他の通信端末装置に通知し、
他の通信端末装置の第１制御部は、記憶部に記憶されている装置別発光色テーブルを参照して通知された発光色が記載されているかどうかを判断し、
記載されていれば、記憶している装置別発光色テーブルを、発光色を通知した通信端末装置に送信し、
記載されていなければ、通知された発光色と、発光色を通知した通信端末装置の識別情報とを追加して装置別発光色テーブルを更新し、更新した装置別発光色テーブルを、発光色を通知した通信端末装置に送信し、
発光色を通知した通信端末装置の前記第１制御部は、
選択した発光色が他の通信端末装置の識別情報と関連付けて記載されている装置別発光色テーブルを受信した場合は、受信した装置別発光色テーブルに記載されている発光色以外の発光色を第１発光部の発光色として決定し、
選択した発光色が自機の識別情報と関連付けて記載されている装置別発光色テーブルを受信した場合は、選択した発光色を第１発光部の発光色として決定することを特徴とする請求項２記載の通信システム。
【請求項４】
前記第１制御部は、選択した発光色が他の通信端末装置の識別情報と関連付けて記載されている装置別発光色テーブルを受信した場合は、決定した発光色と、自機の識別情報とを追加して装置別発光色テーブルを更新し、更新した装置別発光色テーブルを、他の通信端末装置に送信することを特徴とする請求項３記載の通信システム。
【請求項５】
前記識別情報は、通信端末装置ごとに割り当てられたＭＡＣアドレスを含む制御アドレスまたは識別アドレスであることを特徴とする請求項２〜４のいずれか１つに記載の通信システム。
【請求項６】
前記識別情報は、前記端末装置本体と送受信装置とが無線接続する際の無線接続ＩＤであることを特徴とする請求項２〜４のいずれか１つに記載の通信システム。
【請求項７】
前記端末装置本体は、文字および画像を表示する第１表示部を備え、
前記送受信装置は、文字および画像を表示する第２表示部を備え、
前記第１発光部は、前記第１表示部を照射し、前記第２発光部は、前記第２表示部を照射することを特徴とする請求項１〜６のいずれか１つに記載の通信システム。
【請求項８】
前記第１表示部および第２表示部は、液晶表示装置であり、
前記第１発光部および第２発光部は、前記液晶表示装置のバックライトまたはフロントライトとして機能することを特徴とする請求項７記載の通信システム。
【請求項９】
前記通信端末装置は、電話端末装置であり、前記端末装置本体は、着信時に複数種類の着信音を出力する出力部を備え、
前記第１制御部は、前記装置別発光色テーブルに基づいて、複数種類の着信音から前記出力部が出力する着信音の種類を決定することを特徴とする請求項２〜８のいずれか１つに記載の通信システム。
【請求項１０】
前記通信端末装置は、電話端末装置であり、前記送受信装置は、着信時に複数種類の着信音を出力する出力部を備え、
前記第１制御部は、前記装置別発光色テーブルに基づいて、複数種類の着信音から前記出力部が出力する着信音の種類を決定して前記送受信装置に送信し、
前記第２制御部は、前記端末装置本体から受信した着信音の種類に基づいて、前記出力部から出力する着信音の種類を決定することを特徴とする請求項２〜８のいずれか１つに記載の通信システム。
【請求項１１】
通信回線に接続する複数の通信端末装置と、通信端末装置の接続を制御する端末制御装置とを有する通信システムにおける通信端末装置であって、
前記通信回線に接続する端末装置本体と、前記端末装置本体と無線で接続する送受信装置とからなり、
前記端末装置本体は、発光色が異なる複数の光源を備える第１発光部を備え、
前記送受信装置は、前記第１発光部と同じ発光色の光源を備える第２発光部を備え、
前記第１発光部は、前記通信回線に接続している他の通信端末装置が備える他の第１発光部および第２発光部の発光色とは異なる発光色で発光し、
前記第１発光部を備える端末装置本体と無線接続する送受信装置が備える前記第２発光部は、前記第１発光部と同じ発光色で発光することを特徴とする通信端末装置。
【発明の詳細な説明】
【０００１】
【発明の属する技術分野】
本発明は、通信回線に接続する複数の通信端末装置と、通信端末装置の接続を制御する端末制御装置とを有する通信システムおよび通信端末装置に関し、特に端末装置本体と、端末装置本体と無線で接続する送受信装置とからなる通信端末装置に関する。
【０００２】
【従来の技術】
アナログ電話回線を用いて複数の通信端末装置とゲートウェイ端末とを接続し、ゲートウェイ端末を介してインターネットなど外部のネットワークとを接続することで、家庭内や、オフィス内にいわゆるホームネットワークシステムを簡単に構築することが可能となっている。通信端末装置は、たとえば電話端末装置であって、アナログ電話回線に直接接続してネットワーク制御を行う端末装置本体と、本体と無線接続されたコードレス送受信装置とから構成されている。
【０００３】
複数の通信端末装置が存在する場合、コードレス送受信装置には、それぞれ無線接続ＩＤが割り当てられ本体とコードレス送受信装置との組み合わせが識別される。しかし、ユーザはコードレス送受信装置のＩＤを確認することができないので、本体とコードレス送受信装置との組み合わせを識別するためには、たとえば本体に備えられたコードレス送受信装置呼出ボタンを押してコードレス送受信装置の呼出を行い、呼出音が鳴ったコードレス送受信装置を識別している。
【０００４】
コードレス送受信装置のような無線端末装置の識別に関する技術としては次のような技術がある。
【０００５】
特許文献１記載の携帯無線電話装置は、携帯電話機またはコードレス電話機として動作し、受信した呼出コマンドから付加情報を抽出し、基地局からの着信要求なのか、親機からの着信要求なのかを検出することで、要求元に応じて呼出音を変えている。これにより、ユーザは、呼出音を聞くだけでいずれからの呼出であるかを識別することができる。
【０００６】
特許文献２記載のセルラー／ＰＨＳ携帯電話装置は、セルラーモードとＰＨＳモードとを切り替えることが可能で、動作するモードに応じて表示部のバックライトの表示色を変えている。これにより、ユーザは、表示部を見るだけでいずれのモードで動作しているかを識別することができる。
【０００７】
また、複数の端末装置を含むネットワークシステムの制御に関する技術としては、次のようなものがある。
【０００８】
特許文献３記載の端末制御システムは、端末制御装置と複数の端末装置とを有し、端末装置が起動されると接続要求が発行され、接続要求を受け取った端末制御装置は、端末装置の物理アドレスをもとに端末装置の論理的端末番号を割り当てる。この論理的端末番号は、端末装置に通知され、以後端末装置と端末制御装置とは論理的端末番号によってデータの送受信が行われる。このように、論理的端末番号を動的に割り当てることにより、システム内で端末番号が重複しないように自動設定することができる。
【０００９】
【特許文献１】
特開平６−３２６６５５号公報
【特許文献２】
特開平９−１９１４９１号公報
【特許文献３】
特開平４−２７３５５７号公報
【００１０】
【発明が解決しようとする課題】
上記のように、端末装置本体とコードレス送受信装置との組み合わせを識別するためには、本体に備えられたコードレス送受信装置呼出ボタンを押して識別しているが、このような作業は非常に煩雑である。特許文献１および２に記載の電話装置は、自己の通信状態が識別可能な構成ではあるが、親機との組み合わせを識別することはできない。
【００１１】
本発明の目的は、端末装置本体とコードレス送受信装置との組み合わせを容易に識別できる通信システムおよび通信端末装置を提供することである。
【００１２】
【課題を解決するための手段】
本発明は、通信回線に接続する複数の通信端末装置と、通信端末装置の接続を制御する端末制御装置とを有する通信システムにおいて、
前記通信端末装置は、前記通信回線に接続する端末装置本体と、前記端末装置本体と無線で接続する送受信装置とからなり、
前記端末装置本体は、発光色が異なる複数の光源を備える第１発光部を備え、
前記送受信装置は、前記第１発光部と同じ発光色の光源を備える第２発光部を備え、
前記第１発光部は、前記通信回線に接続している他の通信端末装置が備える他の第１発光部および第２発光部の発光色とは異なる発光色で発光し、
前記第１発光部を備える端末装置本体と無線接続する送受信装置が備える前記第２発光部は、前記第１発光部と同じ発光色で発光することを特徴とする通信システムである。
【００１３】
本発明に従えば、複数の通信端末装置が通信回線に接続し、端末制御装置によって通信端末装置の接続が制御されている。通信端末装置は、通信回線に接続する端末装置本体と、端末装置本体と無線で接続する送受信装置とからなる。また、端末装置本体は、発光色が異なる複数の光源を備える第１発光部を備え、送受信装置は、前記第１発光部と同じ発光色の光源を備える第２発光部を備えている。
【００１４】
第１発光部は、通信回線に接続している他の通信端末装置が備える他の第１発光部および第２発光部の発光色とは異なる発光色で発光する。さらに、無線接続することで、第１発光部を備える端末装置本体に対応する送受信装置が備える第２発光部は、この第１発光部と同じ発光色で発光する。
【００１５】
このように、通信回線に接続している他の通信端末装置の発光部とは異なる色で発光し、かつ、端末装置本体の第１発光部と送受信装置の第２発光部とが同じ色で発光することにより、ユーザは、発光部の発光色を見るだけで、端末装置本体と送受信装置との組み合わせを容易に識別することができる。
【００１６】
また本発明は、前記端末装置本体は、前記通信回線に接続している通信端末装置の第１発光部および第２発光部の発光色と、通信端末装置を識別するための識別情報とを関連付けた装置別発光色テーブルを記憶する記憶部と、
前記装置別発光色テーブルに基づいて、前記第１発光部の発光色を決定して発光させ、決定した発光色を前記送受信装置に通知する第１制御部とを備え、
前記送受信装置は、前記第１制御部から通知された発光色で前記第２発光部を発光させる第２制御部を備えることを特徴とする。
【００１７】
本発明に従えば、記憶部に通信回線に接続している通信端末装置の第１発光部および第２発光部の発光色と、通信端末装置を識別するための識別情報とを関連付けた装置別発光色テーブルを記憶している。
【００１８】
端末装置本体の第１制御部は、装置別発光色テーブルに基づいて、第１発光部の発光色を決定して発光させ、決定した発光色を送受信装置に通知する。
【００１９】
送受信装置の第２制御部は、第１制御部から通知された発光色で第２発光部を発光させる。
【００２０】
これにより、装置別発光色テーブルを用いることで、第１および第２発光部の発光色を容易に決定することができる。
【００２１】
また本発明は、前記第１制御部は、前記通信回線接続時に第１発光部の発光色を選択し、選択した発光色をすでに前記通信回線に接続されている他の通信端末装置に通知し、
他の通信端末装置の第１制御部は、記憶部に記憶されている装置別発光色テーブルを参照して通知された発光色が記載されているかどうかを判断し、
記載されていれば、記憶している装置別発光色テーブルを、発光色を通知した通信端末装置に送信し、
記載されていなければ、通知された発光色と、発光色を通知した通信端末装置の識別情報とを追加して装置別発光色テーブルを更新し、更新した装置別発光色テーブルを、発光色を通知した通信端末装置に送信し、
発光色を通知した通信端末装置の前記第１制御部は、
選択した発光色が他の通信端末装置の識別情報と関連付けて記載されている装置別発光色テーブルを受信した場合は、受信した装置別発光色テーブルに記載されている発光色以外の発光色を第１発光部の発光色として決定し、
選択した発光色が自機の識別情報と関連付けて記載されている装置別発光色テーブルを受信した場合は、選択した発光色を第１発光部の発光色として決定することを特徴とする。
【００２２】
本発明に従えば、第１制御部は、通信回線接続時に複数の発光色の中から第１発光部の発光色を選択し、選択した発光色をすでに通信回線に接続されている他の通信端末装置に通知する。
【００２３】
他の通信端末装置の第１制御部は、記憶部に記憶されている装置別発光色テーブルを参照して通知された発光色が記載されているかどうかを判断する。記載されていれば、記憶している装置別発光色テーブルを、発光色を通知した通信端末装置に送信し、記載されていなければ、通知された発光色と、発光色を通知した通信端末装置の識別情報とを追加して装置別発光色テーブルを更新し、更新した装置別発光色テーブルを、発光色を通知した通信端末装置に送信する。
【００２４】
発光色を通知した通信端末装置の第１制御部は、選択した発光色が他の通信端末装置の識別情報と関連付けて記載されている装置別発光色テーブルを受信した場合は、受信した装置別発光色テーブルに記載されている発光色以外の発光色を第１発光部の発光色として決定する。選択した発光色が自機の識別情報と関連付けて記載されている装置別発光色テーブルを受信した場合は、選択した発光色を第１発光部の発光色として決定する。
【００２５】
これにより、他の通信端末装置と識別可能な発光色を、確実に決定することができる。
【００２６】
また本発明は、前記第１制御部は、選択した発光色が他の通信端末装置の識別情報と関連付けて記載されている装置別発光色テーブルを受信した場合は、決定した発光色と、自機の識別情報とを追加して装置別発光色テーブルを更新し、更新した装置別発光色テーブルを、他の通信端末装置に送信することを特徴とする。
【００２７】
本発明に従えば、第１制御部は、選択した発光色が他の通信端末装置の識別情報と関連付けて記載されている装置別発光色テーブルを受信した場合は、決定した発光色と、自機の識別情報とを追加して装置別発光色テーブルを更新し、更新した装置別発光色テーブルを、他の通信端末装置に送信する。
【００２８】
これにより、通信回線に接続している全ての通信端末装置の記憶部に、更新された最新の装置別発光色テーブルが記憶される。
【００２９】
また本発明は、前記識別情報は、通信端末装置ごとに割り当てられたＭＡＣアドレスを含む制御アドレスまたは識別アドレスであることを特徴とする。
【００３０】
また本発明は、前記識別情報は、前記端末装置本体と送受信装置とが無線接続する際の無線接続ＩＤであることを特徴とする。
【００３１】
本発明に従えば、識別情報として、通信端末装置ごとに割り当てられたＭＡＣアドレスを含む制御アドレスまたは識別アドレス、または端末装置本体と送受信装置とが無線接続する際の無線接続ＩＤを用いる。
【００３２】
ＭＡＣアドレスを含む制御アドレスまたは識別アドレス、および無線接続ＩＤは、通信端末装置ごとに異なるので、装置別発光色テーブルを容易に作成することができる。
【００３３】
また本発明は、前記端末装置本体は、文字および画像を表示する第１表示部を備え、
前記送受信装置は、文字および画像を表示する第２表示部を備え、
前記第１発光部は、前記第１表示部を照射し、前記第２発光部は、前記第２表示部を照射することを特徴とする。
【００３４】
また本発明は、前記第１表示部および第２表示部は、液晶表示装置であり、
前記第１発光部および第２発光部は、前記液晶表示装置のバックライトまたはフロントライトとして機能することを特徴とする。
【００３５】
本発明に従えば、端末装置本体は、文字および画像を表示する第１表示部を備え、送受信装置は、文字および画像を表示する第２表示部を備える。第１表示部および第２表示部は、液晶表示装置であり、第１発光部および第２発光部は、液晶表示装置を照射するバックライトまたはフロントライトとして機能する。
【００３６】
これにより、既存の通信端末装置が備えるバックライトまたはフロントライトによって、端末装置本体と送受信装置との組み合わせを識別できるので、識別用の発光部を別途備える必要がない。
【００３７】
また本発明は、前記通信端末装置は、電話端末装置であり、前記端末装置本体は、着信時に複数種類の着信音を出力する出力部を備え、
前記第１制御部は、前記装置別発光色テーブルに基づいて、複数種類の着信音から前記出力部が出力する着信音の種類を決定することを特徴とする。
【００３８】
また本発明は、前記通信端末装置は、電話端末装置であり、前記送受信装置は、着信時に複数種類の着信音を出力する出力部を備え、
前記第１制御部は、前記装置別発光色テーブルに基づいて、複数種類の着信音から前記出力部が出力する着信音の種類を決定して前記送受信装置に送信し、
前記第２制御部は、前記端末装置本体から受信した着信音の種類に基づいて、前記出力部から出力する着信音の種類を決定することを特徴とする。
【００３９】
本発明に従えば、通信端末装置は、電話端末装置であり、着信時に複数の着信音を出力する出力部を備えている。第１制御部は、装置別発光色テーブルに基づいて、複数の着信音から出力部が出力する着信音を決定する。
【００４０】
これにより、容易に通信端末装置ごとに異なる着信音を設定することができる。
【００４１】
また本発明は、通信回線に接続する複数の通信端末装置と、通信端末装置の接続を制御する端末制御装置とを有する通信システムにおける通信端末装置であって、
前記通信回線に接続する端末装置本体と、前記端末装置本体と無線で接続する送受信装置とからなり、
前記端末装置本体は、発光色が異なる複数の光源を備える第１発光部を備え、
前記送受信装置は、前記第１発光部と同じ発光色の光源を備える第２発光部を備え、
前記第１発光部は、前記通信回線に接続している他の通信端末装置が備える他の第１発光部および第２発光部の発光色とは異なる発光色で発光し、
前記第１発光部を備える端末装置本体と無線接続する送受信装置が備える前記第２発光部は、前記第１発光部と同じ発光色で発光することを特徴とする通信端末装置である。
【００４２】
本発明に従えば、複数の通信端末装置が通信回線に接続し、端末制御装置によって通信端末装置の接続が制御されている。通信端末装置は、通信回線に接続する端末装置本体と、端末装置本体と無線で接続する送受信装置とからなる。また、端末装置本体は、発光色が異なる複数の光源を備える第１発光部を備え、送受信装置は、前記第１発光部と同じ発光色の光源を備える第２発光部を備えている。
【００４３】
第１発光部は、通信回線に接続している他の通信端末装置が備える他の第１発光部および第２発光部の発光色とは異なる発光色で発光する。さらに、無線接続することで、第１発光部を備える端末装置本体に対応する送受信装置が備える第２発光部は、この第１発光部と同じ発光色で発光する。
【００４４】
このように、通信回線に接続している他の通信端末装置の発光部とは異なる色で発光し、かつ、端末装置本体の第１発光部と送受信装置の第２発光部とが同じ色で発光することにより、ユーザは、発光部の発光色を見るだけで、端末装置本体と送受信装置との組み合わせを容易に識別することができる。
【００４５】
【発明の実施の形態】
図１は、本発明の実施の一形態であるホームネットワーク１の概略図である。
【００４６】
通信システムであるホームネットワーク１は、複数の電話端末装置１０が、通信回線であるホームネットワーク回線２を介して相互に通信可能に構成され、ゲートウェイ装置５を介して外部ネットワーク回線６に接続し、公衆回線網やインターネットなど外部ネットワークと通信可能に構成されている。
【００４７】
本実施形態では、通信システムであるホームネットワーク１は、ＨｏｍｅＰＮＡ（Ｈｏｍｅ  Ｐｈｏｎｅｌｉｎｅ  Ｎｅｔｗｏｒｋｉｎｇ  Ａｌｌｉａｎｃｅ）システムを用いている。ＨｏｍｅＰＮＡシステムは、建物内に配設された既存の公衆電話回線を利用して低コストでＬＡＮ（Ｌｏｃａｌ  Ａｒｅａ  Ｎｅｔｗｏｒｋ）を構築するシステムである。したがって、ホームネットワーク回線２は公衆電話回線であり、電話端末装置１０は、モジュラージャックなどに接続する。
【００４８】
ゲートウェイ装置５は、ＨｏｍｅＰＮＡシステムに対応するＨｏｍｅＰＮＡゲートウェイ装置で実現され、プロトコル変換など外部ネットワークとホームネットワークとの通信に関する制御を行う端末制御装置である。ＨｏｍｅＰＮＡシステムでは、外部ネットワーク回線６が公衆電話回線であり、ゲートウェイ装置５は、発呼、着呼および通話に関して、アナログ電話通信または、デジタル電話通信のいずれの通信で行うかを制御する。
【００４９】
通信端末装置である電話端末装置１０は、端末装置本体３および送受信装置であるコードレス受話器４から構成され、端末装置本体３とコードレス受話器４とは無線で通信が可能となっている。また、ホームネットワーク回線２で繋がっている各電話端末装置は、互いにＨｏｍｅＰＮＡ信号の送受信を行うことで通信を行うことができる。なお、通信端末装置は、電話端末装置に限らず、端末装置本体と送受信装置との組み合わせが予め決まっているような端末装置であればよく、端末装置本体と送受信装置との間で送受信されるデータも音声データの他に、文字データや画像データなどであってもよい。
【００５０】
本発明では、端末装置本体３とコードレス受話器４との組み合わせが容易に識別できるように、対応する端末装置本体３およびコードレス受話器４の表示部のバックライトが同じ色で点灯する。たとえば、対応する端末装置本体３ａとコードレス受話器４ａの表示部のバックライトはどちらも赤色で点灯し、対応する端末装置本体３ｂとコードレス受話器４ｂの表示部のバックライトはどちらも青色で点灯し、対応する端末装置本体３ｃとコードレス受話器４ｃの表示部のバックライトはどちらも黄色で点灯する。
【００５１】
図２は、電話端未装置１０の外観図であり、図２（ａ）はコードレス受話器４の外観図、図２（ｂ）は端末装置本体３の外観図である。図３は、端末装置本体３の構成を示すブロック図である。図４は、コードレス受話器４の構成を示すブロック図である。
【００５２】
端末装置本体３は、ＩＤ（Ｉｄｅｎｔｉｆｉｃａｔｉｏｎ）用メモリ３１、共有データメモリ３２、無線制御装置３３、ＲＦ（Ｒａｄｉｏ  Ｆｒｅｑｕｅｎｃｙ）チューナ３４、表示装置３５、多色バックライト３６、ＰＮＡモデム３７、ネットワーク制御装置３８、デジタル音声装置３９、ＭＡＣ（Ｍｅｄｉａ  Ａｃｃｅｓｓ  Ｃｏｎｔｒｏｌ）用メモリ３１０、アナログ音声経路３１１、デジタル音声経路３１２、網制御装置３１３および制御バス３１４を有する。
【００５３】
コードレス受話器４は、ＩＤ用メモリ４１、無線制御装置４２、ＲＦチューナ４３、ダイヤルキー４４、音声ユニット４５、表示装置４６、多色バックライト４７、音声入出力装置４８および鳴動パターン蓄積ＲＯＭ（Ｒｅａｄ  Ｏｎｌｙ  Ｍｅｍｏｒｙ）４９を有する。
【００５４】
端末装置本体３とコードレス受話器４との無線通信は、同じ無線接続ＩＤを記憶している端末装置本体３とコードレス受話器４との間で、所定の周波数領域を使用する無線チャネルを確立し、アナログ音声信号および各種デジタルデータの送受信を行う。
【００５５】
ＩＤ用メモリ３１には、端末装置本体３と、これに無線接続されるコードレス受話器４とに割り振られた無線接続ＩＤが記憶されている。ＭＡＣ用メモリ３１０には、通信で必要となる６バイト長のＭＡＣアドレスが記憶されている。
【００５６】
アナログ電話通信（受信）の場合、端末装置本体３がホームネットワーク回線２からアナログ音声信号を受信すると、網制御装置３１３がアナログ音声経路３１１を選択し、デジタル音声装置３９にアナログ音声信号を送る。デジタル音声装置３９は、アナログ音声信号をデジタル音声データに変換する、無線制御装置３３は、デジタル音声データを変調し、ＲＦチューナ３４からコードレス受話器４に無線送信する。
【００５７】
コードレス受話器４では、ＲＦチューナ４３で端末装置本体３からデジタル音声データを受信し、無線制御装置４２で受信したデジタル音声データを復調する。音声ユニット４５は、デジタル音声データをアナログ信号に変換し、音声入出力装置４８のスピーカが音声を出力する。
【００５８】
デジタル電話通信（送信）の場合、コードレス受話器４では、音声入出力装置４８のマイクからユーザの音声がアナログ音声信号として入力され、音声ユニット４５でデジタル音声データに変換される。無線制御装置４２は、デジタル音声データを変調し、ＲＦチューナ４３から端末装置本体３に無線送信する。
【００５９】
端末装置本体３では、ＲＦチューナ３４でコードレス受話器４からデジタル音声データを受信し、無線制御装置３３で受信したデジタル音声データを復調する。デジタル音声データはデジタル音声装置３９を介してネットワーク制御装置３８に送られ、パケットデータ化される。ＰＮＡモデム３７は、パケットデータを変調し、デジタル音声経路３１２を介して網制御装置３１３からホームネットワーク回線２へ送信する。
【００６０】
制御バス３１４は、無線制御装置３３とネットワーク制御装置との間で、端末装置本体３のネットワーク接続状態、電話通信の着信、通話および終話状態を相互に指示するのに使用される。
【００６１】
第１表示部である端末装置本体３の表示装置３５、および第２表示部であるコードレス受話器４の表示装置４６は、透過型または半透過型液晶表示装置で実現され、それぞれ多色バックライト３６，４７を光源として備えている。本実施形態では、第１発光部である多色バックライト３６、および第２発光部である多色バックライト４７は、光源としてそれぞれ５色（青・赤・黄・紫ａ・紫ｂ）のＬＥＤ（発光ダイオード）を有し、無線接続する端末装置本体３の表示装置３５とコードレス受話器４の表示装置４６とは、同じ色のＬＥＤが発光するように第１制御部である無線制御装置３３、および第２制御部である無線制御装置４２が制御する。さらに、ホームネットワーク回線２を介して互いに通信可能な電話端末装置１０同士では異なる色でＬＥＤが発光するように制御する。
【００６２】
これにより、ユーザは、表示装置の色を確認するだけで、端末装置本体３とコードレス受話器４との組み合わせを容易に識別することができる。
【００６３】
図５は、記憶部である共有データメモリ３２に記憶される電話端末装置１０ごとの発光色を示す装置別発光色テーブルである。ＬＥＤの発光色には、予め文字列（色情報）が割り当てられており、たとえば、青色には“Ｃ１”、赤色には“Ｃ２”、黄色には“Ｃ３”、紫色ａには“Ｃ４”、紫色ｂには“Ｃ５”が割り当てられている。装置別発光色テーブルには、各電話端末装置１０のＭＡＣアドレスとバックライトの発光色を示す色情報との関連付けが記載されている。
【００６４】
電話端末装置１０が、ホームネットワーク回線２に接続され、ゲートウェイ装置５に認識されると、ＭＡＣ用メモリ３１０に記載されたＭＡＣアドレスの下位１バイトが、適当なハッシュ関数により処理され、色情報が選択される。選択された色情報を、図６に示す自機発光色テーブルに記憶する。自機発光色テーブルには、自機の発光色を示す色情報と、発光色が確定しているか否かを示す確定フラグとが記載される。上記のように、ホームネットワーク回線２に接続した時点では、他の電話端末装置１０の発光色を考慮せずに、仮決定するので、確定フラグには、未確定であることを示す“０”が記載される。なお、後述の処理によって自機の発光色が決定すると、確定フラグには、確定したことを示す“１”が記載される。
【００６５】
無線制御装置３３は、確定フラグが“１”であることを検出すると、色情報に応じた点灯色のＬＥＤを点灯する。これと同時に、無線通信により、コードレス受話器４へ色情報を送信する。
【００６６】
コードレス受話器４は、無線通信で端末装置本体３から色情報を受信すると、無線制御装置４２が、受信した色情報に応じた点灯色のＬＥＤを点灯する。
【００６７】
以下では、発光色の決定処理について詳細に説明する。なお、同じ点灯色となる電話端末装置１０が発生しないように、点灯色を５色とし、ホームネットワーク回線２に同じに接続可能な電話端末装置１０は最大５台と仮定する。また、すでに電話端末装置１０ｂおよび１０ｃの２台がホームネットワーク回線２に接続されている状態とする。電話端末装置１０ｂの多色バックライト３６，４７の発光色は青色で、色情報は“Ｃ１”であり、電話端末装置１０ｃの多色バックライト３６，４７の発光色は赤色で、色情報は“Ｃ２”である。
【００６８】
図７は、色情報決定シーケンスを示す図である。
電話端末装置１０ｂの多色バックライト３６，４７の発光色は青色で、色情報は“Ｃ１”であり、電話端末装置１０ｃの多色バックライト３６，４７の発光色は赤色で、色情報は“Ｃ２”である。図８は、電話端末装置１０ｂ，１０ｃの共有データメモリ３２に記憶されている装置別発光色テーブルを示している。
【００６９】
電話端末装置１０ａをホームネットワーク回線２に接続すると、自機のＭＡＣアドレスに基づいて色情報を選択する。ここでは、色情報として“Ｃ３”（黄色）を選択したとする。自機発光色テーブルの色情報に“Ｃ３”を記載し、確定フラグに“０”を記載する。電話端末装置１０ａは、電話端末装置１０ｂ，１０ｃに対し、色情報として“Ｃ３”を選択したことを通知する。電話端末装置１０ｂ，１０ｃは、図９に示すように、それぞれの装置別発光色テーブルに、電話端末装置１０ａのＭＡＣアドレスと電話端末装置１０ａから通知された色情報とを追加して更新し、電話端末装置１０ａに送信する。電話端末装置１０ａは、受信した装置別発光色テーブルを共有データメモリ３２に記憶し、自機発光色テーブルの確定フラグに“１”を記載する。
【００７０】
確定フラグが“１”であることを無線制御装置３３が検出すると、色情報“Ｃ３”に応じた黄色のＬＥＤを点灯する。これと同時に、端末装置本体３ａは、無線通信により、コードレス受話器４ａへ色情報“Ｃ３”を送信する。
【００７１】
コードレス受話器４ａは、無線通信で端末装置本体３ａから色情報“Ｃ３”を受信すると、無線制御装置４２が、受信した色情報に応じた黄色のＬＥＤを点灯する。
【００７２】
以上の処理により、端末装置本体３ａの表示装置３５のバックライト３６、およびコードレス受話器４ａの表示装置４６のバックライト４７は黄色で発光し、端末装置本体３ｂの表示装置３５のバックライト３６、およびコードレス受話器４ｂの表示装置４６のバックライト４７は青色で発光し、端末装置本体３ｃの表示装置３５のバックライト３６およびコードレス受話器４ｃの表示装置４６のバックライト４７は赤色で発光する。
【００７３】
図１０は、色情報決定シーケンスを示す図である。ただし、図７に示したシーケンスとは異なり、後からホームネットワーク回線２に接続した電話端末装置１０ａが、既に接続されている電話端末装置１０ｃに割り当てられている“Ｃ２”（赤色）を選択した場合のシーケンスについて説明する。
【００７４】
電話端末装置１０ａをホームネットワーク回線２に接続すると、自機のＭＡＣアドレスに基づいて色情報を選択する。ここでは、色情報として、既に電話端末装置１０ｃの発光色として決定している“Ｃ２”（赤色）を選択したとする。自機発光色テーブルの色情報に“Ｃ２”を記載し、確定フラグに“０”を記載する。電話端末装置１０ａは、電話端末装置１０ｂ，１０ｃに対し、色情報として“Ｃ２”を選択したことを通知する。電話端末装置１０ｂ，１０ｃは、図８に示した装置別発光色テーブルに基づいて、電話端末装置１０ａから通知された色情報“Ｃ２”がすでに使用されていることを検出し、電話端末装置１０ａに対して自機が記憶している装置別発光色テーブルを送信する。電話端末装置１０ａは、受信した装置別発光色テーブルに記載されている“Ｃ１”および“Ｃ２”以外の色情報を選択する。
【００７５】
色情報として“Ｃ４”（紫色ａ）を選択したとすると、自機発光色テーブルの色情報に“Ｃ４”を記載し、確定フラグに“１”を記載するとともに、図１１に示すように、受信した装置別発光色テーブルに、自機のＭＡＣアドレスと色情報“Ｃ４”とを追加して更新し、電話端末装置１０ｂ，１０ｃに送信する。電話端末装置１０ｂ，１０ｃは、電話端末装置１０ａから受信した装置別発光色テーブルを共有データメモリ３２に記憶する。
【００７６】
確定フラグが“１”であることを無線制御装置３３が検出すると、色情報“Ｃ４”に応じた紫色ａのＬＥＤを点灯する。これと同時に、端末装置本体３ａは、無線通信により、コードレス受話器４ａへ色情報“Ｃ４”を送信する。
【００７７】
コードレス受話器４ａは、無線通信で端末装置本体３ａから色情報“Ｃ４”を受信すると、無線制御装置４２が、受信した色情報に応じた紫色ａのＬＥＤを点灯する。
【００７８】
以上の処理により、端末装置本体３ａの表示装置３５のバックライト３６、およびコードレス受話器４ａの表示装置４６のバックライト４７は紫色ａで発光し、端末装置本体３ｂの表示装置３５のバックライト３６、およびコードレス受話器４ｂの表示装置４６のバックライト４７は青色で発光し、端末装置本体３ｃの表示装置３５のバックライト３６およびコードレス受話器４ｃの表示装置４６のバックライト４７は赤色で発光する。
【００７９】
以上のように、対応する組み合わせの端末装置本体３とコードレス受話器４とが同じ色のバックライトが発光し、さらにその色は、他の電話端末装置１０の発光色と異なる色となっている。したがって、ユーザは表示装置を見るだけで、端末装置本体３とコードレス受話器４との組み合わせを容易に識別することができる。
【００８０】
次に、ホームネットワーク回線２に、電話端末装置１０ａを１台目として接続した場合について説明する。図１２は、１台目の色情報決定シーケンスを示す図である。
【００８１】
電話端末装置１０ａをホームネットワーク回線２に接続すると、自機のＭＡＣアドレスに基づいて色情報を選択する。ここでは、色情報として“Ｃ１”（青色）を選択したとする。自機発光色テーブルの色情報に“Ｃ１”を記載し、確定フラグに“０”を記載する。電話端末装置１０ａは、一定時間間隔で数回にわたり、他の電話端未装置に対して色情報の通知を試みる。たとえば、１秒間隔で４回通知を試みるものとする。通知に対しての応答が無いと、色情報を“Ｃ１”に決定し、自機発光色テーブルの確定フラグに“１”を記載するとともに、図１３に示すように、自機のＭＡＣアドレスと色情報“Ｃ１”とを記載した装置別発光色テーブルを作成し、共有テーブルメモリ３２に記憶する。
【００８２】
確定フラグが“１”であることを無線制御装置３３が検出すると、色情報“Ｃ１”に応じた青色のＬＥＤを点灯する。これと同時に、端末装置本体３ａは、無線通信により、コードレス受話器４ａへ色情報“Ｃ１”を送信する。
【００８３】
コードレス受話器４ａは、無線通信で端末装置本体３ａから色情報“Ｃ１”を受信すると、無線制御装置４２が、受信した色情報に応じた青色のＬＥＤを点灯する。
【００８４】
なお、色情報の決定については、ホームネットワーク回線接続時に、既に接続されている電話端末装置から装置別発光色テーブルを受け取り、既に装置別発光色テーブルに記載されている色情報以外の色情報を抽出し、抽出した色情報の中から選択するようにしてもよい。
【００８５】
また、本実施形態では、表示装置４６が、透過型または半透過型液晶表示装置で実現されるとして説明したがこれに限らず、反射型液晶表示装置であってもよく、その場合は多色発光が可能なフロントライトを備え、前述のバックライトの代わりに、フロントライトの発光色によって、端末装置本体３とコードレス受話器４との組み合わせを識別可能に構成しても良い。
【００８６】
また、コードレス受話器４は、着信時に鳴動パターン蓄積ＲＯＭ４９に記憶されている鳴動パターンで動作する。鳴動パターンとは、ユーザに着信を報知するために出力される着信音の種類であって、予め複数種類の音が鳴動パターン蓄積ＲＯＭ４９に記憶されている。どの着信音を鳴らすかは、ユーザが選択可能となっている。本発明では、色情報と、鳴動パターンとを関連付けたテーブルを、鳴動パターン蓄積ＲＯＭ４９などに記憶しておき、端末装置本体３から色情報を受信すると、テーブルを参照して受信した色情報に対応する鳴動パターンを設定することができる。前述のように、ホームネットワーク回線２に接続している電話端未装置１０は、それぞれ異なる色情報に設定されているので、鳴動パターンをコードレス受話器４ごとに異なって設定することができる。
【００８７】
さらに、装置別発光色テーブルを、図１４に示すように、色情報と７桁の無線接続ＩＤとを関連付けたテーブルとしてもよい。
【００８８】
【発明の効果】
以上のように本発明によれば、通信回線に接続している他の通信端末装置の発光部とは異なる色で発光し、かつ、端末装置本体の第１発光部と送受信装置の第２発光部とが同じ色で発光することにより、ユーザは、発光部の発光色を見るだけで、端末装置本体と送受信装置との組み合わせを容易に識別することができる。
【００８９】
また本発明によれば、装置別発光色テーブルを用いることで、第１および第２発光部の発光色を容易に決定することができる。
【００９０】
また本発明によれば、他の通信端末装置と識別可能な発光色を、確実に決定することができる。
【００９１】
また本発明によれば、通信回線に接続している全ての通信端末装置の記憶部に、更新された最新の装置別発光色テーブルが記憶される。
【００９２】
また本発明によれば、ＭＡＣアドレスおよび無線接続ＩＤは、通信端末装置ごとに異なるので、装置別発光色テーブルを容易に作成することができる。
【００９３】
また本発明によれば、既存の通信端末装置が備えるバックライトまたはフロントライトによって、端末装置本体と送受信装置との組み合わせを識別できるので、識別用の発光部を別途備える必要がない。
【００９４】
また本発明によれば、容易に通信端末装置ごとに異なる着信音を設定することができる。
【図面の簡単な説明】
【図１】本発明の実施の一形態であるホームネットワーク１の概略図である。
【図２】電話端未装置１０の外観図である。
【図３】端末装置本体３の構成を示すブロック図である。
【図４】コードレス受話器４の構成を示すブロック図である。
【図５】共有データメモリ３２に記憶される電話端末装置１０ごとの発光色を示す装置別発光色テーブルである。
【図６】自機発光色テーブルである。
【図７】色情報決定シーケンスを示す図である。
【図８】電話端末装置１０ｂ，１０ｃの共有データメモリ３２に記憶されている装置別発光色テーブルである。
【図９】更新された装置別発光色テーブルである。
【図１０】色情報決定シーケンスを示す図である。
【図１１】更新された装置別発光色テーブルである。
【図１２】１台目の色情報決定シーケンスを示す図である。
【図１３】作成された装置別発光色テーブルである。
【図１４】無線接続ＩＤを記載した装置別発光色テーブルである。
【符号の説明】
１  ホームネットワーク
２  ホームネットワーク回線
３，３ａ，３ｂ，３ｃ  端末装置本体
４，４ａ，４ｂ，４ｃ  コードレス受話器
５  ゲートウェイ装置
６  外部ネットワーク回線
１０  電話端末装置
３１，４１  ＩＤ（Ｉｄｅｎｔｉｆｉｃａｔｉｏｎ）用メモリ
３２  共有データメモリ
３３，４２  無線制御装置
３４，４３  ＲＦ（Ｒａｄｉｏ  Ｆｒｅｑｕｅｎｃｙ）チューナ
３５，４６  表示装置
３６，４７  多色バックライト
３７  ＰＮＡ（Ｐｈｏｎｅｌｉｎｅ  Ｎｅｔｗｏｒｋｉｎｇ  Ａｌｌｉａｎｃｅ）モデム
３８  ネットワーク制御装置
３９  デジタル音声装置
４４  ダイヤルキー
４５  音声ユニット
４８  音声入出力装置
４９  鳴動パターン蓄積ＲＯＭ（Ｒｅａｄ  Ｏｎｌｙ  Ｍｅｍｏｒｙ）
３１０  ＭＡＣ（Ｍｅｄｉａ  Ａｃｃｅｓｓ  Ｃｏｎｔｒｏｌ）用メモリ
３１１  アナログ音声経路
３１２  デジタル音声経路
３１３  網制御装置
３１４  制御バス
【図１】
2004320152.tif 000003
【図２】
2004320152.tif 000004
【図３】
2004320152.tif 000005
【図４】
2004320152.tif 000006
【図５】
2004320152.tif 000007
【図６】
2004320152.tif 000008
【図７】
2004320152.tif 000009
【図８】
2004320152.tif 000010
【図９】
2004320152.tif 000011
【図１０】
2004320152.tif 000012
【図１１】
2004320152.tif 000013
【図１２】
2004320152.tif 000014
【図１３】
2004320152.tif 000015
【図１４】
2004320152.tif 000016